(57)【要約】【課題】壁パネルの表側、裏側のどちら側にも壁パネル取付用の金物類を露出させることなく、壁パネルを容易に確実、かつ精度良く、ローコストで、しかも高耐剪断力で、建物の躯体側のコンクリートに取り付けること。【解決手段】建物への壁パネル１下部の取付構造であって、壁パネル１の小口から壁パネル１の面内方向に向かって設けられた長孔部２に棒状部材４が挿入され、棒状部材４の壁パネル１に挿入されていない側の端部を、スラブコンクリート床３に当接する立ち上がり部９の上部側の台座部材７に溶接固定することを特徴とする、壁パネルの取付構造。【選択図】図１
2008196200.tif 000002
【特許請求の範囲】
【請求項１】
建物への壁パネル下部の取付構造であって、
前記壁パネルの小口から前記壁パネルの面内方向に向かって設けられた長孔部に棒状部材が挿入され、
前記棒状部材の前記壁パネルに挿入されていない側の端部を、スラブコンクリート床に当接する立ち上がり部の上部側の台座部材に溶接固定することを特徴とする、壁パネルの取付構造。
【請求項２】
前記棒状部材の前記壁パネルに挿入されていない側の端部は平面形状部を有し、前記台座部材は平面形状部を有することを特徴とする、請求項１に記載の壁パネルの取付構造。
【請求項３】
前記台座部材は前記スラブコンクリート床に固定された床上棒状部材に螺合していることを特徴とする、請求項１または２に記載の壁パネルの取付構造。
【請求項４】
前記壁パネルと前記スラブコンクリート床との間で前記床上棒状部材と螺合する前記台座部材によって、前記壁パネルの前記スラブコンクリート床側への動きが拘束されることを特徴とする、請求項１乃至３のいずれかに記載の壁パネルの取付構造。
【請求項５】
建物への壁パネルの取付方法であって、
前記壁パネルの小口から前記壁パネルの面内方向に向かって設けられた長孔部に棒状部材が挿入される段階と、
前記棒状部材の前記壁パネルに挿入されていない側の端部を、立ち上がり部の上部側の台座部材に当接する段階と、
前記台座部材によって前記壁パネルが前記立ち上がり部の上端から任意の離れ位置に設置される段階と、
前記棒状部材と前記台座部材とを溶接固定する段階と、
を有することを特徴とする、壁パネルの取付方法。
【発明の詳細な説明】
【技術分野】
【０００１】
本技術は主にＲＣ造、ＳＲＣ造の建物の梁、柱、スラブ、壁等、躯体側のコンクリート部分への壁パネルの取付構造及び取付方法に関する。本発明はＰＣ板、ＡＬＣ板、押出成形板等、コンクリート系の壁パネルに好適に適用できる。
【背景技術】
【０００２】
スラブコンクリート床上部に例えばＡＬＣ壁パネルを取付ける一般的な例を図２の（ａ）、（ｂ）で説明する。図２は、従来例に係る壁パネルの下部と躯体との接続部を示す図であり、（ａ）が断面図で（ｂ）が内観図である。本例では、壁パネルとしてＡＬＣの壁パネルを用いた例を説明する。図２に示すようにスラブコンクリート床１８の上部にはコンクリートの立ち上がり部１９があり、同部には下地アングル２１を取付けるための埋込アングル２０が設けられている。下地アングル２１は埋込アングル２０に溶接されることによりコンクリートの立ち上がり部１９に固定されている。壁パネル１７は、ボルト２２、アンカー鋼棒２３、イナズマ金物２４より構成される取付ファスナーにより、下地アングル２１に取付固定される。尚、２５はライナー、２６はシーリング材である。
【０００３】
上記の技術と同様の技術は、非特許文献１にも掲載されている。また、躯体コンクリートに壁パネルを取り付ける際に高さを調整できる技術がある（例えば、特許文献１を参照）。また、風圧力が作用しない間仕切壁パネルを躯体コンクリートに取付金物を露出させずに取り付ける技術もある（例えば、特許文献２を参照）。
【０００４】
【非特許文献１】日本建築学会、「建築工事標準仕様書・同解説 ＪＡＳＳ２１ ＡＬＣパネル工事2005」４２頁「解説図3.3  鉄筋コンクリート造におけるロッキング構法の取付け例」
【特許文献１】特開平１１−１２４９３７
【特許文献２】特開２００５−４８４９２
【発明の開示】
【発明が解決しようとする課題】
【０００５】
建物のスラブコンクリート床上部に壁パネルを取り付ける場合、一般的には図３や非特許文献１のように壁パネルを取り付けるための下地アングル、取付ファスナー等の金物類がパネルの表側、あるいは裏側のどちらかに露出する。
【０００６】
このため、金物類が仕上げ工事の障害となる場合があり、仕上げ表面からなお金物類が突出して見栄えが悪い場合もある。
【０００７】
また、前記壁パネルから金物類が突出していると、身体の一部を引っかけて怪我をする恐れがあるため、さらなる安全性の向上も求められている。
【０００８】
本発明の第１の目的は、壁パネルの表側、裏側のどちら側にも壁パネル取付用の金物類を露出させないことである。
【０００９】
次に、特許文献１の技術は高さの調整寸法の単位が板スペーサー（丸座金）の厚さに依存するため、高さの微調整がしづらいという問題があった。
【００１０】
本発明の第２の目的は、壁パネルの高さ（躯体コンクリートからの離れ寸法）を容易に精度良く調整することである。
【００１１】
また、特許文献１の技術は取付金物の形状が複雑であり、なおかつ部品点数も多いため経済上不利になりやすいという問題があった。
【００１２】
本発明の第３の目的は、取付金物の形状を単純化し、なおかつ部品点数を少なくすることでローコストで経済的な取付工法を提供することである。
【００１３】
さらに、特許文献２では、コンクリート釘を打ち込んだ際、コンクリート部にクラック、欠け等の欠陥が発生しやすいためコンクリート釘の長手方向に直交する方向の力に対する信頼性が低い、コンクリート釘に繰り返し剪断荷重がかかった場合の金属疲労破壊に対する信頼性が不明、コンクリート釘自体の剪断耐力が小さい、等の理由により、このままでは風圧力が作用する外壁パネルには使用し難いという問題があった。また、この技術は躯体コンクリートからの壁パネルの高さの調整が殆どできないという問題もあった。
【００１４】
本発明の第４の目的は、外壁のように風圧力等の大きな水平力が作用する部位にも使用可能な高耐剪断力の取付構造を提供することである。
【００１５】
つまり、本発明の目的は、壁パネルの表側、裏側のどちら側にも壁パネル取付用の金物類を露出させることなく、壁パネルを容易に確実、かつ精度良く、ローコストで、しかも高耐剪断力で、建物の躯体側のコンクリートに取り付けることができる取付構造及び取付方法を提供することである。
【課題を解決するための手段】
【００１６】
前記目的を達成するため、本発明は次の手段を有する。
【００１７】
（１）
建物への壁パネル下部の取付構造であって、前記壁パネルの小口から前記壁パネルの面内方向に向かって設けられた長孔部に棒状部材が挿入され、前記棒状部材の前記壁パネルに挿入されていない側の端部を、スラブコンクリート床に当接する立ち上がり部の上部側の台座部材に溶接固定することを特徴とする、壁パネルの取付構造。
【００１８】
（２）
前記棒状部材の前記壁パネルに挿入されていない側の端部は平面形状部を有し、前記台座部材は平面形状部を有することを特徴とする、（１）に記載の壁パネルの取付構造。
【００１９】
（３）
前記台座部材は前記スラブコンクリート床に固定された床上棒状部材に螺合していることを特徴とする、（１）または（２）に記載の壁パネルの取付構造。
【００２０】
（４）
前記壁パネルと前記スラブコンクリート床との間で前記床上棒状部材と螺合する前記台座部材によって、前記壁パネルの前記スラブコンクリート床側への動きが拘束されることを特徴とする、（１）乃至（３）のいずれかに記載の壁パネルの取付構造。
【００２１】
（５）
建物への壁パネルの取付方法であって、前記壁パネルの小口から前記壁パネルの面内方向に向かって設けられた長孔部に棒状部材が挿入される段階と、前記棒状部材の前記壁パネルに挿入されていない側の端部を、立ち上がり部の上部側の台座部材に当接する段階と、前記台座部材によって前記壁パネルが前記立ち上がり部の上端から任意の離れ位置に設置される段階と、前記棒状部材と前記台座部材とを溶接固定する段階と、を有することを特徴とする、壁パネルの取付方法。
【発明の効果】
【００２２】
壁パネルの表側、裏側のどちら側にも壁パネル取付用の金物類を露出させない。このため、外観及び内観においていずれも、壁パネルの意匠性を向上させることができる。また、台座部材が螺合するようにしておけば、台座部材を回転させることで、パネルの高さを容易に精度良く調整することができる。更に、外壁のように風圧力等の大きな水平力が作用する部位にも好適である。また、取付金物は部品点数の少ない比較的単純な形状のもので構成されているため、経済的である。
【００２３】
したがって、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる。
【発明を実施するための最良の形態】
【００２４】
図を用いて本発明の実施形態を具体的に説明する。なお、壁パネルの取付部の構造として、以下の説明においては壁パネルの下部構造のみを例示して説明する。図示しないが、壁パネルの側部や上部のうちの１箇所以上に、壁パネルの面外方向の力に対する何らかの拘束手段を設けることとする。また、本実施形態の取付構造を壁パネルの側面に適用した場合には、もう一方の側部、上部、下部のうちの１箇所以上に、壁パネルの面外方向の力に対する何らかの拘束手段を設けることとする。
【００２５】
本実施形態を、図を用いて説明する。図１は躯体コンクリートへの壁パネルの取付け説明図であり、（ａ）は壁パネル取付部の立断面図、（ｂ）はその内観図である。なお、壁パネルの取付部の構造として、以下の説明においては壁パネルの下部構造のみを例示して説明する。図示しないが、壁パネルの側部や上部のうちの１箇所以上に、壁パネルの面外方向の力に対する何らかの拘束手段を設けることとする。また、本実施形態の取付構造を壁パネルの側面に適用した場合には、もう一方の側部、上部のうちの１箇所以上に、壁パネルの面外方向の力に対する何らかの拘束手段を設けることとする。
【００２６】
図１に示すように、本実施形態の建物への壁パネル下部の取付構造は、壁パネル１とスラブコンクリート床３とを固定する構造である。
【００２７】
壁パネル１には、壁パネル１の下部の小口から面内方向に長孔部２が設けられる。長孔部２には、棒状部材４が、スラブコンクリート床３側に突出させるように挿入される。
【００２８】
棒状部材４は、壁パネル１に挿入される棒状部４ａと、棒状部４ａの壁パネル１に挿入されない側の端部に配設される平面形状部４ｂとから構成される。平面形状部４ｂは、壁パネル１に挿入されていない側の端部にある。平面形状部４ｂと当接する面には、平面形状部７ａを有する台座部材７が配設される。
【００２９】
スラブコンクリート床３には、壁パネル１と対向する部分に後施工アンカー５が埋設され、後施工アンカー５には長ボルト（床上棒状部材）６が壁パネル１側に突出するように螺合固定される。長ボルト６の周囲には、スラブコンクリート床３と一体的に立ち上がり部９が形成される。また、長ボルト６の壁パネル１側の端部には、平面形状部７ａと雌螺子７ｂとを有する台座部材７が螺合固定される。これによって、壁パネル１のスラブコンクリート床３側への動きが拘束される。
【００３０】
ここで、棒状部材４の壁パネル１に挿入されていない側の平面形状部４ｂは、立ち上がり部９の上部側の台座部材７に溶接固定される。尚、図１において、８は溶接部であり、１１はシーリング材である。
【００３１】
次に、壁パネルの取付方法について説明する。
【００３２】
まず、壁パネル１の小口から壁パネル１の面内方向に向かって設けられた長孔部２に棒状部材４を挿入する。一方、スラブコンクリート床３には、壁パネル１の間に立ち上がり部９を形成する。
【００３３】
次に、壁パネル１に取り付けた棒状部材４の平面形状部４ｂを平面形状部７ａに当接させ載置させる。この状態で、台座部材７を回転することで、壁パネル１のパネル高さ位置（立ち上がり部９の上端からの離れ位置）を任意に微調整する。
【００３４】
そして、パネル高さ位置を決定した後、平面形状部７ａに平面形状部４ｂを溶接固定することで壁パネル１を長ボルト６および後施工アンカー５を介してスラブコンクリート床３の上部に取り付ける。なお、壁パネル１と平面形状部４ｂとの間に必要に応じてライナー１０を挟み込んでも良い。
【００３５】
次に、壁パネル１とコンクリートの立ち上がり部９との間に、シーリング材１１を打設する。
【００３６】
なお、壁パネル１が風圧力、地震力等、大きな荷重に対して耐えうる性能を要求される場合は、取付部の数を増やすことで、大きな荷重に対しても耐えうることが可能となる。
【００３７】
以上のように本発明によれば、壁パネルの表側、裏側のどちら側にも壁パネル取付用の金物類を露出させることなく、壁パネルを容易に確実、かつ精度良く、ローコストで、しかも高耐剪断力で、建物の躯体側のコンクリートに取り付けることができる。
【００３８】
また、台座部材７とスラブコンクリート床３との間にスラブコンクリート床３に当接固着する立ち上がり部９を形成することで、長ボルト６の支持力を高め、ぐらつきを防止することができる。立ち上がり部９には、モルタル層、コンクリート層のうち、少なくとも一方を使用すると好適である。
【００３９】
更に、棒状部材４には棒状部４ａが形成され、台座部材７には平面形状部７ａが形成される。平面形状部４ｂの大きさを壁パネル１の厚さの範囲を越えない範囲である程度大きくしておくと、溶接可能な範囲も大きくなり、より容易に溶接することができるようになる。
【産業上の利用可能性】
【００４０】
本発明はＲＣ造、ＳＲＣ造以外のコンクリート躯体、例えばＳ造の建物のスラブコンクリート部分にも応用することができる。
【図面の簡単な説明】
【００４１】
【図１】躯体コンクリートへの壁パネルの取付け説明図。
【図２】従来例に係る壁パネルの下部と躯体との接続部を示す図。
【符号の説明】
【００４２】
１…壁パネル、２…長孔部、３…スラブコンクリート床、４…棒状部材、４ａ…棒状部、４ｂ…平面形状部、５…後施工アンカー、６…長ボルト、７…台座部材、７ａ…平面形状部、７ｂ…雌螺子、８…溶接部、９…立ち上がり部、１０…ライナー、１１…シーリング材、１７…壁パネル、１８…スラブコンクリート床、１９…立ち上がり部、２０…埋込アングル、２１…下地アングル、２２…ボルト、２３…アンカー鋼棒、２４…イナズマ金物、２５…ライナー、２６…シーリング材
【図１】
2008196200.tif 000003
【図２】
2008196200.tif 000004